(57)【要約】【課題】天吊状態で使用される投射型プロジェクタにおいて、ランプ交換時にランプユニットを投射型プロジェクタから引き出す際、機構的に複雑な構造を取る必要がなく、投射型プロジェクタ内から零れ落ちたガラス片等が作業者や通行人等に接触することを防止する投射型プロジェクタを得る事を目的とする。【解決手段】本発明に係る投射型プロジェクタ１は、天吊金具５に吊るすことが可能な投射型プロジェクタ１であって、光源としてのランプを含むランプユニット、ランプユニットの収納穴をカバーするランプカバー２、投射型プロジェクタ１を天吊金具５に吊るす際に投射型プロジェクタ１内部に挿入される天吊金具取付ネジ６により、ランプカバー２の取り外しを制限するロック機構を備えて構成される。【選択図】  図６
2010107687.tif 000002
【特許請求の範囲】
【請求項１】
天吊金具に吊るすことが可能な投射型表示装置であって、
光源としてのランプを含むランプユニットと、
前記ランプユニットの収納穴をカバーするランプカバーと、
前記投射型表示装置を前記天吊金具に吊るす際に前記投射型表示装置内部に挿入される棒状体により、前記ランプカバーの取り外しを制限するロック機構と、を備える、
投射型表示装置。
【請求項２】
前記ランプカバーの開閉は水平スライド式であって、
前記ロック機構は、
前記ランプカバーの内側に設けられる掛止部と、
前記掛止部に対向して設けられ垂直方向へ移動自在なロックピンと、を備え、
前記棒状体が前記ロックピンを前記掛止部へ押すことにより前記ロックピンが前記掛止部に掛止される、
請求項１に記載の投射型表示装置。
【請求項３】
前記棒状体は、前記投射型表示装置を前記天吊金具にとりつけるためのネジである、
請求項１または請求項２に記載の投射型表示装置。
【請求項４】
前記棒状体は、前記天吊金具に設けられた第２のロックピンである、
請求項１または請求項２に記載の投射型表示装置。
【請求項５】
前記ランプカバーは投射型表示装置本体の表面に配置され、
前記天吊金具は前記投射型表示装置本体における前記棒状体が挿入される穴が形成された裏面に配置される、
請求項１から請求項４のいずれかに記載の投射型表示装置。
【発明の詳細な説明】
【技術分野】
【０００１】
この発明は天吊金具に吊るすことが可能な投射型表示装置であって、光源としてランプを用い、ランプを保持するためのランプユニットを備え、ランプユニットと一体でランプの交換が可能な投射型表示装置に関する。
【背景技術】
【０００２】
以前の投射型プロジェクタ（投射型表示装置）においては、光源として使用されるランプは出力が小さく密閉式であるものが主流であった。しかし、現在は投射型プロジェクタ本体の小型化及び高輝度化にともない高出力で小型だが冷却効率の高い開放型のランプが主流である。その為、ランプが破裂した場合、ガラス片等が投射型プロジェクタ内に飛散する。この状態で破損したランプの交換を行えば、ガラス片等がプロジェクタ内から零れ落ちることになる。そこで、投射型プロジェクタ内から零れ落ちたガラス片等が作業者及び通行人等に接触することを防止する対策が必要となっている。
【０００３】
特に高輝度型の投射型プロジェクタは、天井に天吊金具で固定された天吊状態で使用される場合が多く、このような天吊で使用される投射型プロジェクタにおいてはランプ交換の利便性の観点から天吊状態のままランプ交換が行えるように天吊金具等でランプの交換口が塞がれることのない投射型プロジェクタの側面又は背面からランプ交換を行える設計となっているのが一般的ではあるが、非天吊状態でのランプ交換性をより高めるため投射型プロジェクタ天面（天吊状態における下面）に配置することが増えてきている。
【０００４】
上記投射型プロジェクタにおいて、天吊のまま破損したランプの交換作業を行う場合、破損したランプをランプユニットと一体で投射型プロジェクタから引き出す際、一旦抜き取ったランプユニットを移動させる際に、作業者及び通行人等に破損したランプのガラス片等が零れ落ちるという問題が生じていた。
【０００５】
従来の投射型プロジェクタにおいては、ランプ冷却のための通風口を開閉式としランプ交換時にランプユニットを投射型プロジェクタから引き出す際、自動的に通風口を閉鎖しガラス片等をランプユニット内部に留めることでガラス片等が零れ落ちるのを防止する構成にしているものがある（例えば、特許文献１参照。以後、従来技術１と呼ぶ。）。また別の従来の投射型プロジェクタにおいては、ランプ冷却のための通風口を開閉式としランプ破裂時の空気圧により通風口を閉鎖しガラス片等をランプユニット内部に留めることでガラス片等が零れ落ちるのを防止する構成にしているものもある（例えば、特許文献２参照。以後、従来技術２と呼ぶ。）。
【０００６】
その他、従来の投射型プロジェクタにおいては、天吊状態のまま破損したランプの交換作業を行う場合、ランプ交換時にランプ破裂時のガラス片等の落下物を受け取る袋を装着しているものもある。
【０００７】
【特許文献１】特開２００２−１０７８２３号公報
【特許文献２】特開２００２−３５２６０４号公報
【発明の開示】
【発明が解決しようとする課題】
【０００８】
しかしながら、従来技術１の投射型プロジェクタの光源装置では、ランプ冷却のための通風口をランプユニット挿抜時に開閉する構造であるため、ランプが破裂した際、ガラス片等がランプユニット内部に留まらず、ランプユニット外面に多数付着した状態となる。このような状態のままランプユニットを取り外した場合、ランプユニット外面に付着したガラス片等が剥離し零れ落ちる。また、従来技術２の投射型プロジェクタの光源装置では、ランプが破裂した際のガラス片等は音速に近い速さで飛散するため、ランプ破裂時の空気圧により通風口を閉鎖するような機構的構造では、ガラス片等の飛散に追従できず、ガラス片等の一部または多くをランプユニット内部に留めることができず、ランプユニット外部に放出され、ランプユニット外面に多数付着した状態となる。このような状態のままランプユニットを引き出せば、ランプユニット外面に付着したガラス片等が剥離し零れ落ちる。ガラス片等の落下物を受け取る袋を装着する場合も、同様の危険性を伴う可能性がある。
【０００９】
加えて従来技術１及び従来技術２のいずれの構造においても、ランプ冷却のための通風口を機構部品で覆い密閉状態にする必要がある。その為、機構的に非常に複雑な構造を取る必要があるのみならず、投射型プロジェクタの小型化及び冷却効率の向上に反する制約が加わるという課題があった。
【００１０】
本発明は、上述の問題を解決するためになされたものであり、天吊状態で使用される投射型プロジェクタ装置において、ランプ交換時にランプユニットを投射型プロジェクタから引き出す際、機構的に複雑な構造を取る必要がなく、投射型プロジェクタ内から零れ落ちたガラス片等が作業者や通行人等に接触することを防止する投射型プロジェクタ（投射型表示装置）を得る事を目的とする。
【課題を解決するための手段】
【００１１】
本発明に係る投射型表示装置は、天吊金具に吊るすことが可能な投射型表示装置であって、光源としてのランプを含むランプユニット、ランプユニットの収納穴をカバーするランプカバー、投射型表示装置を前記天吊金具に吊るす際に投射型表示装置内部に挿入される棒状体により、ランプカバーの取り外しを制限するロック機構を備えて構成される。
【発明の効果】
【００１２】
この発明は、光源としてのランプと、ランプを保持するためのランプユニットとを備え、ランプユニットと一体でランプの交換が可能な投射型プロジェクタ（投射型表示装置）において、主として投射型プロジェクタを天吊状態で使用した場合、複雑な構成を取ることなく、強制的に天吊金具より取外した状態でしかランプユニットの交換ができない構成となっており、破損したランプをランプユニットと一体で投射型プロジェクタから引き出す際や、抜き取ったランプユニットを移動させる際に、作業者及び通行人等に破損したランプのガラス片等が零れ落ちることを防止する効果を有する。
【発明を実施するための最良の形態】
【００１３】
以下、この発明をその実施の形態を示す図面に基づいて具体的に説明する。
【００１４】
＜実施の形態１＞
（構成）
図１は、本実施の形態に係る、天吊金具に吊すことが可能な投射型プロジェクタ（投射型表示装置）１０の外観を示す図である。
【００１５】
図において、直方形状の投射型プロジェクタ１０の角部おいて、後述するランプユニットの収納穴をカバーするランプカバー２がランプカバー取付ネジ３により投射型プロジェクタ本体１に取付けられている。なお、投射型プロジェクタ本体１の側面には、投射用レンズ１ｎが設けられている。
【００１６】
図２は、本実施の形態に係る、光源としてのランプ（図示せず）を含み当該ランプを保持する機能を有するランプユニット４の取り外し要領を示す図である。
【００１７】
図において、投射型プロジェクタ本体１の角部には、ランプカバー２設置用のランプカバー用凹部１ｋが形成され、ランプカバー用凹部１ｋにおける投射型プロジェクタ本体１の下部方向の面にはランプユニット収納穴１ｅが形成される。
【００１８】
また、ランプカバー２の開閉は投射型プロジェクタ本体１に対して水平スライド式であって、ランプカバー２は設置進行方向の端部に有するランプカバー固定用リブ２ｄと、ランプカバー固定用リブ２ｄに近接して配置され投射型プロジェクタ本体１の下部方向に開口する筒状のランプカバーロック用ボス（掛止部）２ｅを備える。さらに、設置進行方向の後方端部において下部方向に突起し、ランプカバー取付ネジ穴２ｂが設けられたランプカバー取付ネジ用リブ２ａを備える。ランプカバー２の投射型プロジェクタ本体１の側面と接する部分には、ランプカバー外形リブ２ｃが形成されている。
【００１９】
投射型プロジェクタ本体１は、ランプカバー取付ネジ用リブ２ａと対応する外側面に、ランプカバー取付ネジ穴１ｂが設けられたランプカバーリブ用凹部１ａを備える。また、ランプカバー固定用リブ２ｄと対応するランプカバー用凹部１ｋの内部側面にランプカバー固定用穴１ｃを備えると共に、ランプカバーロック用ボス２ｅに対応する下面にランプカバーロックピン用穴１ｄを備える。
【００２０】
ランプカバー２は、投射型プロジェクタ本体１に設けられたランプカバーリブ用凹部１ａとランプカバー取付ネジ用リブ２ａが勘合されるとともに、ランプカバー固定用穴１ｃとランプカバー固定用リブ２ｄが勘合され、ランプカバー取付ネジ穴１ｂにランプカバー取付ネジ穴２ｂを介してランプカバー取付ネジ３にて投射型プロジェクタ本体１に取り付けられる。
【００２１】
以上のように構成されているのでランプカバー取付ネジ３を緩めて、図２に示す矢印Ｘ方向に引き出すことにより投射型プロジェクタ本体１よりランプカバー２を取り外すことができる。万一、ランプカバー取付ネジ３を緩めてランプカバー２を図の矢印Ｙ方向に持ち上げようとしても、ランプカバー外形リブ２ｃと投射型プロジェクタ本体１の外形とが干渉するとともに、ランプカバー固定用リブ２ｄとランプカバー固定用穴１ｃとが干渉しランプカバー２の取り外しができない構造となっている。そのため、図の矢印Ｘ方向に引き出すことのみでしか投射型プロジェクタ１よりランプカバー２を取り外すことができない。
【００２２】
ランプカバー２を取り外した後は、ランプユニット収納穴１ｅに収納されているランプユニット４に設けられた取っ手４ａを持って図の矢印Ｙ方向に引き出すことにより投射型プロジェクタ本体１よりランプユニット４を取り外すことができる。
【００２３】
図３は、本発明に係るランプカバー２をロックする機構部の位置を示す図であり、投射型プロジェクタ１０を底面側から見た図である。図の底面側に対する反対側の面が天面側となる（ただし、投射型プロジェクタ１０を天吊金具に吊るしたときは、上記天面側が下方向を向く構成となる。）。
【００２４】
図において投射型プロジェクタ本体１の天面（表面）側角部に点線で示すようにランプカバー２が配置されており、投射型プロジェクタ本体１とランプカバー２とで天面側角部の外形を構成している。また、投射型プロジェクタ本体１の底面（裏面）側には、天吊金具５を取付けるための本体天吊金具取付ネジ穴１ｆが４ヶ所設けられており、天吊金具５（図５参照）は投射型プロジェクタ本体１における裏面に配置される構成となっている。
【００２５】
図に示すＡ−Ａの断面図が、図４に示されている。図４は、本実施の形態における、ランプカバー２をロックする機構部の構成を示している。
【００２６】
上述したように投射型プロジェクタ本体１の底面には、本体天吊金具取付ネジ穴１ｆが４ヶ所設けられており、そのうちの図３に示す断面Ａ−Ａにおける本体天吊金具取付ネジ穴１ｆの上部には、図４に示すように、ロックピン（ランプカバーロックピン）１ｍとランプカバーロックピン１ｍを上下に摺動させるためのバネ部材１ｇと、ランプカバーロックピン１ｍとバネ部材１ｇを投射型プロジェクタ本体１に固定するためのランプカバーロックピン用カバー１ｈとで構成されている。
【００２７】
またその上部にはランプカバー２が配置され、投射型プロジェクタ本体１とランカバー２とで外形を構成しており、ランプカバー固定用リブ２ｄが投射型プロジェクタ本体１のランプカバー固定用穴１ｃに固定されている。図において、投射型プロジェクタ１０はまだ天吊金具に設置されていない状態であり、ランプカバー２に設けられたランプカバーロック用ボス２ｅと投射型プロジェクタ本体１に設けられたランプカバーロックピン１ｍとは、勘合しない位置に構成されている。
【００２８】
図５は、本実施の形態に係る投射型プロジェクタ１０の天吊金具５への取付を示す図である。
【００２９】
図において投射型プロジェクタ１０は、天吊金具取付ネジ６によって天吊金具５に形成された天吊金具ネジ穴５ｂを介し、投射型プロジェクタ１０の底面に設けられた本体天吊金具取付ネジ穴１ｆの４ヶ所において、天吊金具５に取付固定される。
【００３０】
図６は、図４で上述したランプカバー２をロックする機構部について、投射型プロジェクタ１０が天吊金具５に取付固定されることにより、ランプカバー２がロックされた状態を示す図である。
【００３１】
上述した図４においては、ランプカバーロック用ボス２ｅとランプカバーロックピン１ｍとは、勘合しない位置に構成されていたが、投射型プロジェクタ１０がその底面に設けられた天吊金具取付ネジ穴１ｆにおいて、天吊金具５を介して棒状体である天吊金具取付ネジ６が挿入され天吊金具５に取付固定されたため、図６に示すようにランプカバーロックピン１ｍが天吊金具取付ネジ６の挿入・押上げにより上部に摺動し、ランプカバー２に設けられたランプカバーロック用ボス２ｅと勘合する。
【００３２】
すなわち、投射型プロジェクタ１０において、ランプカバー２の内側に設けられるランプカバーロック用ボス２ｅと、ランプカバーロック用ボス２ｅに対向して設けられ、垂直方向へ移動自在なランプカバーロックピン１ｍとによりロック機構が構成される。また、投射型プロジェクタ１０を天吊金具５に吊るす際に投射型プロジェクタ１０内部に挿入される天吊金具取付ネジ６が、ランプカバーロックピン１ｍをランプカバーロック用ボス２ｅへ押すことによりランプカバーロックピン１ｍがランプカバーロック用ボス２ｅに掛止され、ランプカバー２の取り外しを制限する。
【００３３】
これにより図２で示したＹ方向においても、ランプカバー２が取り外せなくなる。そのためランプユニット４が取り出せなくなり、天吊状態でのランプ交換はできない状態となる。
【００３４】
以上のように本実施の形態においては、ランプユニット４を取り出すことを制限する手段を有する。天吊金具取付ネジ６を取り外し、ランプカバーロックピン１ｍとランプカバーロック用ボス２ｅとの勘合による制限を解除することにより、ランプユニット４を取り出す制限が解除される。
【００３５】
（効果）
上述したように、ランプカバー２の取り外し方向を水平方向に限定し、投射型プロジェクタ１０が天吊金具５に取付固定されることによりランプカバー２をロックする機構が投射型プロジェクタ１０内部に設けられている。このことにより投射型プロジェクタ１０を天吊状態で使用した場合は、破損したランプをランプユニット４と一体で投射型プロジェクタ１０から引き出すことができない。よって破損したランプをランプユニット４と一体で投射型プロジェクタ１０から引き出す際や、抜き取ったランプユニット４を移動させる際に、作業者及び通行人等に破損したランプのガラス片等が零れ落ちるのを防止することが可能である。
【００３６】
＜実施の形態２＞
（構成）
本実施の形態におけるランプカバー２の取付構造、ランプユニット４の構造、ランプカバー２の取り外し方法、ランプユニット４の取外し方法等は、実施の形態１の図１、図２で説明した内容と同様であるため、ここでの詳細な説明は省略する。
【００３７】
図７は、本実施の形態に係るランプカバー２をロックする機構部の位置を示す図であり、投射型プロジェクタ１０を底面側から見た図である。図の底面側に対する反対側の面が天面側となる。
【００３８】
図において投射型プロジェクタ本体１の天面側角部に点線で示すようにランプカバー２が配置されており、投射型プロジェクタ本体１とランカバー２とで天面側角部の外形を構成している。また、投射型プロジェクタ本体１の底面側には、天吊金具を取付けるための本体天吊金具取付ネジ穴１ｆが３ヶ所設けられており、Ｂ−Ｂの部分には実施の形態１のようなネジ穴構造を有しない天吊金具ロックピン用穴１ｊが形成されている。
【００３９】
Ｂ−Ｂの断面図が、図８に示されている。図８は、本実施の形態における、ランプカバー２をロックする機構部の構成を示している。
【００４０】
図において投射型プロジェクタ本体１の底面には、天吊金具ロックピン用穴１ｊが設けられている。その他の構成は実施の形態１において図４に示した構成と同様である。すなわち、天吊金具ロックピン用穴１ｊの上部にはランプカバーロックピン１ｍとランプカバーロックピン１ｍを上下に摺動させるためのバネ部材１ｇと、ランプカバーロックピン１ｄとバネ部材１ｇを投射型プロジェクタ１に固定するためのランプカバーロックピン用カバー１ｈとで構成されている。
【００４１】
また、その上部にはランプカバー２が配置され、投射型プロジェクタ本体１とランカバー２とで外形を構成しており、ランプカバー固定用リブ２ｄが投射型プロジェクタ本体１のランプカバー固定用穴１ｃに固定されている。図において、投射型プロジェクタ１０はまだ天吊金具５に設置されていない状態であり、ランプカバー２に設けられたランプカバーロック用ボス２ｅと投射型プロジェクタ本体１に設けられたランプカバーロックピン１ｍとは、勘合しない位置に構成されている。
【００４２】
図９は、本実施の形態に係る投射型プロジェクタ１０の天吊金具５への取付を示す図である。
【００４３】
図において投射型プロジェクタ１０は、天吊金具取付ネジ６によって天吊金具５に形成された天吊金具ネジ穴５ｂを介し、投射型プロジェクタ１０の底面に設けられた本体天吊金具取付ネジ穴１ｆの３ヶ所において、天吊金具５に取付固定される。
【００４４】
また、本実施の形態においては、投射型プロジェクタ１０が天吊金具５に取付固定されるのと同時に、天吊金具５に設けられた棒状体である天吊金具ロックピン（第２のロックピン）５ａが天吊金具ロックピン用穴１ｊに挿入される。この天吊金具ロックピン５ａは、図９に点線で示すように、天吊金具５の取付面の下面側に突出して設けられている。
【００４５】
図１０は、図８で上述したランプカバー２をロックする機構部について、投射型プロジェクタ１０が天吊金具５に取付固定されることにより、ランプカバー２がロックされた状態を示す図である。
【００４６】
図８においては、ランプカバーロック用ボス２ｅとランプカバーロックピン１ｍとは、勘合しない位置に構成されていたが、投射型プロジェクタ１０の底面に設けられた天吊金具ロックピン用穴１ｊにおいて、天吊金具ロックピン５ａが挿入されたため、ランプカバーロックピン１ｍが天吊金具ロックピン５ａの挿入・押上げにより上部に摺動し、ランプカバー２に設けられたランプカバーロック用ボス２ｅと勘合する。
【００４７】
これにより、実施の形態１と同様に、図２で示したＹ方向においてもランプカバー２が取り外せなくなる。そのためランプユニット４が取り出せなくなるため天吊状態でのランプ交換はできない状態となる。
【００４８】
以上のように本実施の形態においては、ランプユニット４を取り出すことを制限する手段として、投射型プロジェクタ１０の底面に設けられた天吊金具ロックピン用穴１ｊより天吊金具ロックピン５ａが挿入される際、ランプカバーロックピン１ｍが天吊金具ロックピン５ａにより上部に摺動しランプカバー２に設けられたランプカバーロック用ボス２ｅと勘合する構造を有する。従って、天吊金具５から投射型プロジェクタ１を取り外し、ランプカバーロックピン１ｍとランプカバーロック用ボス２ｅとの勘合による制限を解除することにより、ランプユニット４を取り出す制限が解除される。
【００４９】
（効果）
本実施の形態においても、実施の形態１と同様に投射型プロジェクタ１０を天吊金具に取り付けた状態で使用した場合は、破損したランプをランプユニット４と一体で投射型プロジェクタ１０から引き出すことができないため、破損したランプをランプユニット４と一体で投射型プロジェクタ１０から引き出す際と、抜き取ったランプユニット４を移動させる際に、作業者及び通行人等に破損したランプのガラス片等が零れ落ちるのを防止する事が可能である。また、本実施の形態では、ロックするための専用ピンである天吊金具ロックピン５ａが天吊金具５に設けられるため、ロック用のネジを紛失したりネジの付け忘れをすることがなく、ランプユニット４をより確実にロックさせることが可能である。
【産業上の利用可能性】
【００５０】
本発明の活用例として、天井に設置の投射型表示装置のみでなく天井に設置の照明装置の光源交換にも適用できる。
【図面の簡単な説明】
【００５１】
【図１】本発明の実施の形態１に係るプロジェクタの外観を示す図である。
【図２】本発明の実施の形態１に係るランプユニットの取り外し要領を示す図である。
【図３】本発明の実施の形態１に係るランプカバーをロックする機構部の位置を示す図である。
【図４】本発明の実施の形態１に係るランプカバーをロックする機構部の断面図を示す図である。
【図５】本発明の実施の形態１に係る投射型プロジェクタの天吊金具への取付を示す図である。
【図６】本発明の実施の形態１に係るランプカバーをロックした状態を示す図である。
【図７】本発明の実施の形態２に係るランプカバーをロックする機構部の位置を示す図である。
【図８】本発明の実施の形態２に係るランプカバーをロックする機構部の断面図を示す図である。
【図９】本発明の実施の形態２に係る投射型プロジェクタの天吊金具への取付を示す図である。
【図１０】本発明の実施の形態２に係るランプカバーをロックした状態を示す図である。
【符号の説明】
【００５２】
１  投射型プロジェクタ本体、１ａ  ランプカバーリブ用凹部、１ｂ  ランプカバー取付ネジ穴、１ｃ  ランプカバー固定用穴、１ｄ  ランプカバーロックピン用穴、１ｅ  ランプユニット収納穴、１ｆ  本体天吊金具取付ネジ穴、１ｇ  バネ部材、１ｈ  ランプカバーロックピン用カバー、１ｊ  天吊金具ロックピン用穴、１ｋ  ランプカバー用凹部、１ｍ  ランプカバーロックピン、１ｎ  投射用レンズ、２  ランプカバー、２ａ  ランプカバー取付ネジ用リブ、２ｂ  ランプカバー取付ネジ穴、２ｃ  ランプカバー外形リブ、２ｄ  ランプカバー固定用リブ、２ｅ  ランプカバーロック用ボス、３  ランプカバー取付ネジ、４  ランプユニット、４ａ  取っ手、５  天吊金具、５ａ  天吊金具ロックピン、５ｂ  天吊金具ネジ穴、６  天吊金具取付ネジ、１０  投射型プロジェクタ。
【図１】
2010107687.tif 000003
【図２】
2010107687.tif 000004
【図３】
2010107687.tif 000005
【図４】
2010107687.tif 000006
【図５】
2010107687.tif 000007
【図６】
2010107687.tif 000008
【図７】
2010107687.tif 000009
【図８】
2010107687.tif 000010
【図９】
2010107687.tif 000011
【図１０】
2010107687.tif 000012